(57)【要約】【課題】右手でも、左手でも操作が可能なパソコン用デスクを提供する。【解決手段】両側にある卓脚１１の後ろの位置に、横支えバー１２がある。その横支えバー１２に、さらに二つの移動連結バー２が取り付けられている。そして、二つの移動連結バー２の間に連結されている前に伸びた連結バー２１は、両側の卓脚の中間にある横バー１３の中央に固定されている。また、二つの移動連結バー２上部は、上部パネル２Ａに連結していて、ユーザーのニーズに応じて、連結バー２１を移動させて、二つの移動連結バー２を動かして、水平移動させる。そして、連結バー２１の位置が横バー１３にあることで、右手でも、左手でも操作できる。両側にある卓脚１１下方には貫通穴１１１が設けられている。これは、コンピュータ本体を置くためのフロアパネル４の位置を選択する時に使用する。【選択図】　　図１
0003097253.tif 000002
【実用新案登録請求の範囲】
【請求項１】
両側にある卓脚の後ろの位置に、横支えバーが設けられ、その中間の位置には、横バーを有し、最前の位置には横支えパイプを有し、横支えバーに移動連結バーを取り付けるように構成され、二つの移動連結バーの間には前に伸びた連結バーが取り付けられ、その連結バーの最先端にはストッパーが設けられ、両側の卓脚の中間にある横バーに固定するように構成され、二つの移動連結バー上部は上部パネルに連結され、使用者のニーズに応じて左右どちらの手でも操作可能であることを特徴とするパソコン用デスク。
【請求項２】
両側にある卓脚下方には貫通穴が設けられ、ニーズに応じてコンピュータ本体を置くためのフロアパネルの位置を選択する時に使用するネジを取り付けるのに使用され、左右どちらの手でも操作可能であることを特徴とする請求項１に記載のパソコン用デスク。
【請求項３】
両側の卓脚の最先端に設けられている横支えパイプは、キーボードを置くための下部パネル支えを取り付けるように構成され、その下部パネル支えの位置が調整可能であることを特徴とする請求項１に記載のパソコン用デスク。
【考案の詳細な説明】
【０００１】
【考案の属する技術分野】
本考案は、パソコン用デスクに関する。
【０００２】
【従来の技術】
従来のパソコン用デスクは、全て、設計の段階でハードディスクや周辺設備を置く位置が決まっていて、その設計通りに製品化されている。したがって、その場所に設備を置くだけで、すぐに使用が可能であり、置き場所に頭を悩ますことがない。
【０００３】
【考案が解決しようとする課題】
しかしながら、使用者によって、その習慣が異なり、必ずしも既成のパソコン用デスクが誰にでも使い勝手がよいとは限らない。一般には、パソコン本体、プリンタは右側に置き、右手で操作しやすいようになっている。しかし、左手で操作するほうが便利な人にとってはけっして使いやすいものではない。現在のところ、特殊なニーズに合わせたパソコン用デスクは提供されていないため、必要に応じて変更するか、使い勝手の悪さをがまんして使用するしかない。コストの関係で、商品が大多数のユーザーに合わせて製品化されているのは理解できるものの、実用的な面からは決して理想的だとは言えない。
【０００４】
したがって本考案の目的は、右手でも、左手でも操作が可能なパソコン用デスクを提供することにある。
【０００５】
【課題を解決するための手段】
上述の目的を達成するために本考案の請求項に記載の、パソコン用デスクは、両側にある卓脚の後ろの位置に、横支えバーがある。その横支えバーに、さらに二つの移動連結バーが取り付けられている。そして、二つの移動連結バーの間に連結されている前に伸びた連結バーは、両側の卓脚の中間にある横バーの中央に固定されている。また、二つの移動連結バー上部は、上部パネルに連結していて、ユーザーのニーズに応じて、連結バーを移動させて、二つの移動連結バーを動かして、水平移動させる。そして、連結バーの位置が横バーにあることで、右手でも、左手でも操作できるようになっている。
【０００６】
【考案の実施の形態】
以下、本考案の実施例を図面に基づいて説明する。
図１に示すように本考案の実施例によるパソコン用デスクは、当然ながら、パソコン用デスク１のデスク面にモニターＡを置く。パソコン用デスク１両側にある卓脚１１の後ろの位置に、横支えバー１２が設けられている。その中間の位置には、横バー１３を有する。そして、最前の位置には横支えパイプ１４を有し、横支えバー１２に移動連結バー２を取り付けるように構成されている。さらに、二つの移動連結バー２の間には前に伸びた連結バー２１が取り付けられている。連結バー２１の最先端にはストッパー２２が設けられ、両側の卓脚１１の中間にある横バー１３に固定するように構成されている。二つの移動連結バー２上部は上部パネル２Ａに連結していて、プリンタＢを置くようになっている。そして、両側の卓脚１１の最先端にある横支えパイプ１４は、キーボードＣを置くための下部パネル支え３が取り付けられている。下部パネル支え３は、下部パネル３１によって前に引くようになっている。そして、両側にある卓脚１１下方には貫通穴１１１がある。これは、ニーズに応じてコンピュータ本体Ｄを置くためのフロアパネル４の位置を選択する時に使用するネジのためのものである。
【０００７】
図２（Ａ）、図２（Ｂ）に示すように、本実施例では内側と外側の選択が可能である。また、図３に示すように、左右の選択も可能である。
【０００８】
本考案の実施例によるパソコン用デスク１は、右手で操作するのが一般的であるため、元の位置は一般対応型に設計されている。図４に示すように、プリンタＢを置くための、移動連結バー２及び連結バー２１の位置は右側である。そして、図３に示すように連結バー２１のストッパー２２によって、横バー１３に締めて固定する。下部パネル支え３の位置は左側である。フロアパネル４はその環境や使用者の習慣に合わせて組み立てるようになっている。
【０００９】
図４に示すように使用者が左手でプリンタＢを操作する場合、モニターＡは左に移動させることが可能である。また、連結バー２１のストッパー２２を緩めて、移動連結バー２及び連結バー２１を左に水平移動させた後、固定し、下部パネル支え３もまた、右に移動させる。フロアパネル４の位置は自由に選択できる。図５に示すように、本考案のパソコン用デスクは、使用者のニーズに応じて、左右どちらにでも調整が可能である。
【００１０】
【考案の効果】
本考案のパソコン用デスクは、両側にある卓脚の後ろの位置に、横支えバーがある。その横支えバーに、さらに二つの移動連結バーが取り付けられている。そして、二つの移動連結バーの間に連結されている前に伸びた連結バーは、両側の卓脚の中間にある横バーの中央に固定されている。また、二つの移動連結バー上部は、上部パネルに連結していて、ユーザーのニーズに応じて調整できるようになっているので、右手でも、左手でも操作できるようになっている。
【００１１】
また、本考案のパソコン用デスクは、両側にある卓脚の前の位置に、横支えパイプが取り付けられていて、キーボードを置く下部パネル支えを取り付けるようになっている。必要に応じて位置を調整するようになっているため、左右が自由に選択できて操作しやすいという特長がある。
【００１２】
さらに、本考案のパソコン用デスクは、両側にある卓脚の下方に貫通穴が開いていて、ニーズに応じて、コンピュータ本体を置くフロアパネルの取り付け位置を選択できるので、左右の組み合わせが自由で操作が便利であるという特長を持つ。
【図面の簡単な説明】
【図１】本考案の一実施例によるパソコン用デスクの構造を示す立体図である。
【図２】（Ａ）は本実施例のフロアパネルを外側に取り付けた場合を示す斜視図であり、（Ｂ）は本実施例のフロアパネルを内側に取り付けた場合を示す斜視図である。
【図３】本実施例により位置を変更する際の操作を示す模式図である。
【図４】本実施例によるパソコン用デスクの元の設定位置を示す模式図である。
【図５】本実施例によるパソコン用デスクの位置を変更した後の状態を示す模式図である。
【符号の説明】
１　　パソコン用デスク
２　　移動連結バー
２Ａ　上部パネル
３　　下部パネル支え
４　　フロアパネル
１１　　卓脚
１２　　横支えバー
１３　　横バー
１４　　横支えパイプ
２１　　連結バー
２２　　ストッパー
３１　　下部パネル
１１１　　貫通穴
Ａ　　モニター
Ｂ　　プリンタ
Ｃ　　キーボード
Ｄ　　コンピュータ本体
【図１】
0003097253.tif 000003
【図２】
0003097253.tif 000004
【図３】
0003097253.tif 000005
【図４】
0003097253.tif 000006
【図５】
0003097253.tif 000007